(57)【要約】【課題】カード製造会社と依頼者間の顔写真データの受け渡し作業を簡素化することができるＩＤカード発行システムを提供する。【解決手段】ユーザはカメラ付き携帯電話１を所持し、カメラ付き携帯電話１を用いて顔写真データ５を撮影する。顔写真データ５はユーザのＩＤデータ６と共に、カメラ付き携帯電話１から受託サーバ２に送信され、受託サーバ２は、顔写真データ５をトリミングしたトリミングデータ５ａを生成し、ＩＤデータ６から生成されたファイル名６ａでトリミングデータ５ａを記憶する。ＩＤカード７を発行する際は、少なくとも、トリミングデータ５ａを利用して発行データが生成され、カード発行装置３は発行データを用いてＩＤカード７を発行する。【選択図】図１
2007334629.tif 000002
【特許請求の範囲】
【請求項１】
顔写真付きのＩＤカードのホルダーとなるユーザが所持する携帯電話と、前記ＩＤカードを発行するカード製造会社に備えられたサーバとから少なくとも構成されるＩＤカード発行システムであって、前記携帯電話と前記サーバとはネットワークを介して接続され、前記携帯電話には、前記ユーザの顔写真データを撮影する顔写真撮影手段と、前記ユーザを識別するためのデータであるＩＤデータを入力するためのデータ入力手段と、前記ネットワークを介して、前記サーバとデータ通信する第１の通信手段を備え、前記サーバは、前記ネットワークを介して、前記携帯電話とデータ通信する第２の通信手段と、前記携帯電話から受信した前記顔写真データを処理する前記顔写真データ処理手段と、前記ＩＤデータからファイル名を生成し、前記顔写真データ処理手段によって処理された前記顔写真データを前記ファイル名で記憶するデータベースと、少なくとも前記データベースに記憶された前記顔写真データを利用して、前記ＩＤカードを発行するための発行データを生成する前記発行データ生成手段を備えていることを特徴とするＩＤカード発行システム。
【請求項２】
請求項１に記載のＩＤカード発行システムにおいて、前記サーバに備えられた前記顔写真データ処理手段は、前記携帯電話から送信された前記顔写真データの顔の部分をトリミング処理することを備えているＩＤカード発行システム。
【請求項３】
請求項１または請求項２に記載のＩＤカード発行システムにおいて、前記サーバに備えられた前記顔写真データ処理手段は、前記携帯電話から送信された前記顔写真データの画像サイズおよび解像度が、所定の範囲内に収まっていることを確認することを特徴とするＩＤカード発行システム。
【請求項４】
請求項１から請求項３のいずれかに記載のＩＤカード発行システムにおいて、前記サーバには、前記携帯電話からの要求に応じて、前記データベースに記憶されている前記ユーザの前記顔写真データを前記携帯電話に送信する前記顔写真送信手段を備えていることを特徴とするＩＤカード発行システム。
【請求項５】
顔写真付きのＩＤカードのホルダーとなるユーザが所持する携帯電話と、前記ＩＤカードを発行するカード製造会社に備えられたサーバとを利用したＩＤカード発行方法であって、前記ＩＤカード発行方法は、
ステップａ）前記携帯電話を利用して前記ユーザを撮影し前記ユーザの顔写真データを取得するステップ、
ステップｂ）前記ユーザを識別するためのデータであるＩＤデータと共に、前記ステップａ）で取得した前記顔写真データが、前記携帯電話から前記サーバに送信されるステップ、
ステップｃ）前記サーバが前記携帯電話から受信した前記顔写真データを処理し、前記ＩＤデータから生成されたファイル名にて、処理後の前記顔写真データを記憶するステップ、
ステップｄ）前記ステップｃ）で得られる処理後の前記顔写真データを少なくとも用いて、前記ＩＤカードを発行するための発行データを生成するステップ、
を備え、前記ステップａ）から前記ステップｃ）は前記ＩＤカードを発行する前記ユーザごとに実行され、前記ステップｄ）は前記ＩＤカードを発行する前に実行されることを特徴とするＩＤカード発行方法。
【発明の詳細な説明】
【技術分野】
【０００１】
本発明は、顔写真が印刷されるＩＤカードを発行するＩＤカード発行システム及び方法に関する。
【背景技術】
【０００２】
社員証や学生証などのＩＤカードには、ＩＤカードの不正使用を防止すべく、ＩＤカードの表面に所有者の顔写真が印刷されることが一般的である。近年、ＩＤカードとして利用されることが多くなったＩＣカードにおいても、ＩＣカードの表面には顔写真が印刷されることが一般的である。
【０００３】
特許文献１に記述されているように、社員証等のような顔写真が印刷されたＩＤカードを発行するときは、デジタルカメラによって顔写真を撮影したり、台紙に貼付された顔写真をイメージスキャナで読取るなどして得られる顔写真データをＩＤカードに印刷し、更に、氏名などの個人データがＩＤカード表面に印刷される。
【０００４】
特許文献１で開示されたカード発行システムでは、ＩＤカード発行の依頼者側に設けられた通信端末と、ＩＤカード発行を行なうカード製造会社側に備えられたカード発行装置とをネットワークを介して接続可能とし、ＩＤカードの発行依頼を受ける前に、予め、カード発行装置が、通信端末から受信したデータに基いて文字データベース及び顔写真データベースを構築させておくことで、ＩＤカードの発行依頼を受けてから短時間でＩＤカードを発行することができる。
【特許文献１】特開２００５−１４４７２０号公報
【発明の開示】
【発明が解決しようとする課題】
【０００５】
しかしながら、特許文献１で開示されているカード発行システムにおいては、文字データベース及び顔写真データベースを構築するために、ＩＤカードの発行前段階において、通信端末からカード発行装置に文字データ及び顔写真データを送信しておくことが好ましいが、カード製造会社と依頼者間の顔写真データの受け渡し作業は、非常に煩雑であった。
【０００６】
依頼者側からすると、カード製造会社に送信する文字データ及び顔写真データをまとめる処理を実施しなければならないし、また、カード製造会社においては、受信した顔写真データをトリミングした後、文字データに関連付けて、顔写真データを顔写真データベースに記憶しなければならない。
【０００７】
そこで、本発明は、表面に顔写真が印刷されるＩＤカードを発行する際に、カード発行装置を所持するカード製造会社と依頼者間の顔写真データの受け渡し作業を簡素化することができるＩＤカード発行システム及び方法を提供することを目的とする。
【課題を解決するための手段】
【０００８】
上述した課題を解決するための第１の発明は、顔写真付きのＩＤカードのホルダーとなるユーザが所持する携帯電話と、前記ＩＤカードを発行するカード製造会社に備えられたサーバとから少なくとも構成されるＩＤカード発行システムであって、前記携帯電話と前記サーバとはネットワークを介して接続され、前記携帯電話には、前記ユーザの顔写真データを撮影する顔写真撮影手段と、前記ユーザを識別するためのデータであるＩＤデータを入力するためのデータ入力手段と、前記ネットワークを介して、前記サーバとデータ通信する第１の通信手段を備え、前記サーバは、前記ネットワークを介して、前記携帯電話とデータ通信する第２の通信手段と、前記携帯電話から受信した前記顔写真データを処理する前記顔写真データ処理手段と、前記ＩＤデータからファイル名を生成し、前記顔写真データ処理手段によって処理された前記顔写真データを前記ファイル名で記憶するデータベースと、少なくとも前記データベースに記憶された前記顔写真データを利用して、前記ＩＤカードを発行するための発行データを生成する前記発行データ生成手段を備えていることを特徴とする。
【０００９】
更に、第２の発明は、第１の発明に記載のＩＤカード発行システムにおいて、前記サーバに備えられた前記顔写真データ処理手段は、前記携帯電話から送信された前記顔写真データの顔の部分をトリミング処理することを備えている。
【００１０】
更に、第３の発明は、第１の発明または第２の発明に記載のＩＤカード発行システムにおいて、前記サーバに備えられた前記顔写真データ処理手段は、前記携帯電話から送信された前記顔写真データの画像サイズおよび解像度が、所定の範囲内に収まっていることを確認することを特徴とする。
【００１１】
更に、第４の発明は、第１の発明から第３の発明のいずれかに記載のＩＤカード発行システムにおいて、前記サーバには、前記携帯電話からの要求に応じて、前記データベースに記憶されている前記ユーザの前記顔写真データを前記携帯電話に送信する前記顔写真送信手段を備えていることを特徴とする。
【００１２】
更に、第５の発明は、顔写真付きのＩＤカードのホルダーとなるユーザが所持する携帯電話と、前記ＩＤカードを発行するカード製造会社に備えられたサーバとを利用したＩＤカード発行方法であって、前記ＩＤカード発行方法は、
ステップａ）前記携帯電話を利用して前記ユーザを撮影し前記ユーザの顔写真データを取得するステップ、
ステップｂ）前記ユーザを識別するためのデータであるＩＤデータと共に、前記ステップａ）で取得した前記顔写真データが、前記携帯電話から前記サーバに送信されるステップ、
ステップｃ）前記サーバが前記携帯電話から受信した前記顔写真データを処理し、前記ＩＤデータから生成されたファイル名にて、処理後の前記顔写真データを記憶するステップ、
ステップｄ）前記ステップｃ）で得られる処理後の前記顔写真データを少なくとも用いて、前記ＩＤカードを発行するための発行データを生成するステップ、
を備え、前記ステップａ）から前記ステップｃ）は前記ＩＤカードを発行する前記ユーザごとに実行され、前記ステップｄ）は前記ＩＤカードを発行する前に実行されることを特徴とする。
【発明の効果】
【００１３】
上述した本発明によれば、前記ユーザごとに前記携帯電話で撮影した顔写真データが前記サーバに直接送信されるため、依頼者側で前記顔写真データを取りまとめる必要はなくなる。更に、前記ＩＤカードから生成されるファイル名で前記顔写真データを記憶することで、カード製造会社側では、前記顔写真データと前記ユーザの個人データ（例えば、文字データ）との関連付けが容易に行える。
【００１４】
更に、前記携帯電話で撮影した前記顔写真データは画像サイズが定まっているため、前記サーバで実行されるトリミング処理が容易になる。また、前記サーバ側で前記顔写真データの解像度や画像サイズをチェックすることで、前記顔写真データに不具合があった場合に早急に前記ユーザに通知することができる。加えて、前記サーバが前記顔写真送信手段を備えることで、前記ユーザは前記携帯電話を用いて自分で送った前記顔写真データを確認できる。
【発明を実施するための最良の形態】
【００１５】
ここから、本発明に係るＩＤカード発行システムについて図を参照しながら詳細に説明する。図１は、本発明に係るＩＤカード発行システムの構成を説明する図である。
【００１６】
図１に示したように、本発明に係るＩＤカード発行システムは、ユーザが所持するカメラ付き携帯電話１と、カメラ付き携帯電話１から送信された顔写真データを受信する受託サーバ２と、ＩＤカードを発行するカード発行装置３とから構成され、カメラ付き携帯電話１と受託サーバ２はネットワーク４を介して接続されている。
【００１７】
ここで、ユーザとは、カード発行装置３で発行するＩＤカードの所持者で、ＩＤカードが社員証であるならば、ユーザは一人一人の従業員である。図１では一台のカメラ付き携帯電話１しか図示していないが、実際には、ユーザごとにカメラ付き携帯電話１を所持することになる。なお、図１においてネットワーク４は、無線通信ネットワーク、インターネットおよびＬＡＮ（Local Area Network）など、複数の異なる通信回線網から構成されている。
【００１８】
ユーザは、カメラ付き携帯電話１にて上半身を撮影することで得られる顔写真データ５に加え、ユーザを識別するためのＩＤデータ６（例えば、社員番号）を、ネットワーク４を介して、カメラ付き携帯電話１から受託サーバ２に送信する。
【００１９】
受託サーバ２は、カメラ付き携帯電話１から顔写真データ５を受信すると、受信した顔写真データ５の解像度及び画像サイズをチェックした後、顔写真データ５の顔部をトリミング処理して得られる画像５ａ（以下、トリミングデータ５ａ）を生成し、更に、顔写真データ５と共に送信されたＩＤデータ６からトリミングデータ５ａのファイル名６ａを生成し、生成したファイル名６ａでトリミングデータ５ａを記憶する。
【００２０】
カード発行装置３でＩＤカードを発行する際、受託サーバ２は、ＩＤデータ６をキーとして、トリミングデータ５ａとユーザの個人データ（例えば、会社名、氏名、所属部署）をマッチングして発行データを生成し、カード発行装置３は生成した発行データを用いてＩＤカード７を発行する。
【００２１】
ここから、より詳細に図１に図示したＩＤカード発行システムについて説明する。図２は、図１で示したＩＤカード発行システムのブロック図である。
【００２２】
図２に示したように、ユーザが所持するカメラ付き携帯電話１には、ネットワーク４を介して受託サーバ２とデータ通信する手段となり、無線でデータ通信するためのＲＦ通信回路１４と、ＣＣＤカメラ１１と、ＣＣＤカメラ１１を用いて画像を撮像するアプリケーションである画像アプリケーション１２と、ユーザが、カメラ付き携帯電話１を操作するための操作ボタン１３と、データをストレージするためのメモリ１５と、カメラ付き携帯電話１の全体を制御する制御回路１０を備えている。
【００２３】
顔写真データ５を撮影するときは、ユーザは操作ボタン１３を操作し、カメラ付き携帯電話１に実装されたアプリケーションの中から画像アプリケーション１２を選択する。画像アプリケーション１２が選択されると、制御回路１０は画像アプリケーション１２を起動させ、ＣＣＤカメラ１１を用いた写真撮影が可能となる。
【００２４】
ＣＣＤカメラ１１を用いた写真撮影が可能となると、他のユーザまたはユーザ自身でユーザの上半身を撮影し、撮影された画像はカメラ付き携帯電話１に取り込まれ、制御回路１０によって顔写真データ５としてメモリ１５に記憶される。
【００２５】
メモリ１５に記憶された顔写真データ５は、受託サーバ２の携帯サイト２１に登録され、顔写真データ５が携帯サイト２１に登録される際は、顔写真データ５と共にユーザのＩＤデータ６が登録される。
【００２６】
カメラ付き携帯電話１から顔写真データ５が登録される受託サーバ２には、データを記憶するためのデータベース（以下、ＤＢ）として、写真などの画像データを記憶するための画像ＤＢ２４と、ユーザの氏名などの個人データを記憶するための個人ＤＢ２５と、画像ＤＢ２４と個人ＤＢ２５に記憶されたデータから生成された発行データを記憶するための発行ＤＢ２６を備える。
【００２７】
更に、受託サーバ２には、ネットワーク４を介してカメラ付き携帯電話１とデータ通信するための通信手段２３と、ユーザから送信された顔写真データ５を処理する画像処理手段２０と、画像ＤＢ２４と個人ＤＢ２５に記憶されたデータから発行データを生成するための発行データ生成手段２２と、携帯電話用のＷｅｂサイトである携帯サイト２１を備える。上述した各手段と携帯サイト２１とは、受託サーバ２のハードウェアリソースを利用したコンピュータプログラムで実現される。
【００２８】
通信手段２３とは、ネットワーク４を介して、ユーザが所持するカメラ付き携帯電話１とデータ通信する手段である。携帯サイト２１は、カメラ付き携帯電話１から、少なくとも、ユーザがカメラ付き携帯電話１のＣＣＤカメラ１１で撮影した顔写真データ５と、ユーザを識別するためのデータであるＩＤデータ６と、が登録されるＷｅｂページである顔写真登録ページと、ユーザが携帯サイト２１に登録した顔写真データを携帯電話に表示するためのＷｅｂページである顔写真閲覧ページとを備える。
【００２９】
ユーザのＩＤデータ６と顔写真データ５とを受託サーバ２に登録する際は、ユーザはカメラ付き携帯電話１を用いて、受託サーバ２の携帯サイト２１の顔写真登録ページにアクセスする。顔写真登録ページには、顔写真データ５を登録するフォームとＩＤデータ６を入力するフォームが設けられ、ユーザは、カメラ付き携帯電話１のメモリ１５に記憶されている顔写真データ５を登録すると共に、ＩＤデータ６を入力する。なお、携帯サイト２１に登録された顔写真データ５は、入力されたＩＤデータ６に関連付けて画像ＤＢ２４に一時的に記憶される。
【００３０】
画像処理手段２０とは、携帯サイト２１に登録され画像ＤＢ２４に一時的に記憶した顔写真データ５を処理する手段で、顔写真データ５の解像度、顔写真データ５のサイズをチェックした後、顔写真データ５の中から顔の特徴点（例えば、目や鼻など）を抽出し、顔写真データ５の中から顔の部分をトリミングすることでトリミングデータ５ａを生成する。
【００３１】
そして、画像処理手段２０は、トリミングデータ５ａのファイル名６ａをＩＤデータ６から生成し、画像ＤＢ２４にトリミングデータ５ａを記憶する。なお、受託サーバ２は、画像ＤＢ２４に記憶されたトリミングデータ５ａを携帯サイト２１の顔写真閲覧ページにて公開し、ユーザは、顔写真閲覧ページにアクセスすることでトリミングデータ５ａを確認することができる。
【００３２】
また、受託サーバ２には、顔写真データ５とは別に、ネットワーク４を介して、ＩＤカード７の依頼者側から個人データ（例えば、氏名など）が送信され、個人ＤＢ２５にはＩＤデータ６に関連付けてユーザごとの個人データが記憶されている。
【００３３】
発行データ生成手段２２は、画像ＤＢ２４に記憶されたトリミングデータ５ａと、個人ＤＢ２５に記憶された個人データとをマッチングさせて、ユーザのＩＤカード７を発行するための発行データを生成する手段である。画像ＤＢ２４に記憶されたトリミングデータ５ａと、個人ＤＢ２５に記憶された個人データとをマッチングするときには、ユーザのＩＤデータ６が利用され、発行データ生成手段２２は、ＩＤデータ６をキーとして、画像ＤＢ２４からトリミングデータ５ａを抽出し、同じＩＤデータ６をキーとして、個人ＤＢ２５から個人データを抽出し、抽出した顔写真データ５と個人データとを組み合せて、一枚のＩＤカード７を発行するための発行データを生成する。
【００３４】
発行データ生成手段２２が生成した発行データは発行ＤＢ２６に記憶され、ユーザのＩＤカード７を発行するときに、発行データは、受託サーバ２からカード発行装置３に送信され、カード発行装置３は送信された発行データに基づいてユーザのＩＤカード７を発行する。
【００３５】
図３は、これまで説明したＩＤカード発行システムの動作手順を示したフロー図である。図３において、カメラ付き携帯電話１、受託サーバ２及びカード発行装置３のそれぞれのの下に引かれた破線上に存在するステップは、カメラ付き携帯電話１、受託サーバ２及びカード発行装置３で実行されるステップを示している。
【００３６】
この動作手順の最初のステップＳ１は、ユーザの顔写真を撮影するステップである。このステップでは、ユーザはカメラ付き携帯電話１にて自分の顔写真を撮影し、撮影した顔写真は、顔写真データ５としてカメラ付き携帯電話１のメモリ１５に記憶される。
【００３７】
次のステップＳ２は、カメラ付き携帯電話１から受託サーバ２に顔写真データ５を登録するステップである。このステップでは、ユーザはカメラ付き携帯電話１を利用して受託サーバ２の携帯サイト２１にアクセスすることで、顔写真データ５とＩＤデータ６を受託サーバ２に登録する。
【００３８】
次のステップＳ３は、受託サーバ２が顔写真データ５を処理するステップである。このステップでは、受託サーバ２の画像処理手段２０は、登録された顔写真データ５の解像度、顔写真データ５のサイズをチェックした後、顔写真データ５の中から顔の特徴点（例えば、目や鼻など）を抽出し、顔写真データ５の中から顔の部分をトリミングしてトリミングデータ５ａを生成する。更に、トリミングデータ５ａのファイル名６ａをＩＤデータ６から生成し、画像ＤＢ２４にトリミングデータ５ａを画像ＤＢ２４に記憶する。
【００３９】
次のステップＳ４は、ＩＤカード７を発行するための発行データを生成するステップである。このステップでは、発行データ生成の指示を受託サーバ２が受けると、発行データ生成手段２２が作動し、発行データ生成手段２２は、画像ＤＢ２４に記憶されたトリミングデータ５ａと、個人ＤＢ２５に記憶された個人データとをマッチングさせて、ユーザのＩＤカード７を発行するための発行データを生成する。
【００４０】
次のステップＳ５は、ＩＤカード７が発行されるステップである。このステップでは、カード発行装置３はステップＳ４で生成されたユーザの発行データを用いて、ユーザのＩＤカードを発行する。
【００４１】
ユーザのＩＤカード７を生成するときは、トリミングデータ５ａはＩＤカード表面に印刷され、また、個人データはＩＤカードの表面に印字されると共にＩＤカードに備えられた情報記憶部（磁気ストライプやＩＣチップ）に記憶される。このステップＳ５をもってＩＤカード発行システムの動作手順は終了する。
【００４２】
なお、本発明は、受託サーバ２に顔写真データ５を登録する方式を何ら限定するものではなく、受託サーバ２に顔写真データ５を登録する方式は如何なる方式であってもよい。上述した実施の形態では、受信サーバ２の携帯サイト２１は、携帯サイト２１のＩＤデータ６と顔写真データ５を登録するフォームを備え、ユーザがこのフォームにＩＤデータ６と顔写真データ５を登録する方式としているが、携帯サイト２１は、ユーザごとに、顔写真データ５を登録するためのＷｅｂページを備え、ユーザはＩＤデータ６を入力することなく、顔写真データ５の登録を可能としてもよい。
【００４３】
このとき、受託サーバ２の携帯サイト２１には、ユーザのメールアドレスとＩＤデータ６が予め登録され、携帯サイト２１は登録されたメールアドレスに、顔写真データ５を登録するための電子メールを送信する。
【００４４】
この電子メールには、電子メールを送信したユーザ専用のＷｅｂページのＵＲＬがハイパーリンクで貼られており、ユーザは、このハイパーリンクを利用して、ユーザ専用のＷｅｂページにアクセスし、アクセスしたユーザ専用のＷｅｂページに顔写真データ５のみを登録する。
【図面の簡単な説明】
【００４５】
【図１】本発明に係るＩＤカード発行システムの構成を説明する図。
【図２】ＩＤカード発行システムのブロック図。
【図３】ＩＤカード発行システムの動作手順を示したフロー図。
【符号の説明】
【００４６】
１  カメラ付き携帯電話
１１  ＣＣＤカメラ
１２  画像アプリケーション
２  受託サーバ
２０  画像処理手段
２１  携帯サイト
３  カード発行装置
４  ネットワーク
５  顔写真データ
５ａ  トリミングデータ
６  ＩＤデータ
６ａ  ファイル名
【図１】
2007334629.tif 000003
【図２】
2007334629.tif 000004
【図３】
2007334629.tif 000005